(57)【要約】  【課題】  外見上良好で、使用勝手上も不都合のない、２種のレンズを使い分けできる眼鏡フレームを提供する。  【解決手段】  一対のレンズ支持部１，１をブリッジ部２を介して連設した本体枠３につる６を折り畳み自在に接続し、前記つる６には、前記レンズ支持部１，１に着脱自在に組付けるレンズ８の収納部１２を設ける。レンズ支持部１をリング体１Ａで構成し、該リング体１Ａは内周縁に設けたレンズ周端の係合溝７と、該係合溝７の底縁７ａの一部を、レンズの幅径の長さで開口したレンズ挿入口９を設けた構成にすると共に、収納部１２を上面を開口してレンズ挿入口１５とした薄いケース体１３で構成する。【選択図】    図１
2011002486.tif 000002
【特許請求の範囲】
【請求項１】
一対のレンズ支持部をブリッジ部を介して連設した本体枠につるを折り畳み自在に接続した眼鏡において、前記つるには、前記レンズ支持部に着脱自在に組付けるレンズの収納部を設けた、眼鏡フレーム。
【請求項２】
レンズ支持部をリング体で構成し、該リング体は内周縁に設けたレンズ周端の係合溝と、該係合溝の底縁の一部を、レンズの幅径の長さで開口したレンズ挿入口を設けた構成にすると共に、収納部を上面を開口してレンズ挿入口とした薄いケース体で構成した、請求項１記載の眼鏡フレーム。
【発明の詳細な説明】
【技術分野】
【０００１】
本発明は、２種のレンズを使い分けするために用いる眼鏡フレームに関するものである。
【背景技術】
【０００２】
２種のレンズを使い分けする眼鏡として、ブリッジ部を介して連結して矯正（例えば、遠視）レンズを保持した一対の保持枠の外縁部につるを蝶着して眼鏡本体を構成し、該眼鏡本体の前記保持枠の前面側に跳ね上げ装置を介してサングラスを取付けて構成したものがある（例えば、特許文献１）。
【先行技術文献】
【特許文献】
【０００３】
【特許文献１】特開２００５−３４５８８０号公報
【発明の概要】
【発明が解決しようとする課題】
【０００４】
前記従来例は、常態時には跳ね上げ装置を利用してサングラスを跳ね上げて水平状態を保つようにして矯正レンズのみを用いて事物を視覚するようにし、陽光下において前記跳ね上げ装置の跳ね上げ機能を規制してサングラス（色付きレンズ）を矯正レンズに重ね合わせるようにして用いるのであるが、常態時において不要なサングラスを水平に保持していなければならないため、外見上、必ずしも歓迎されるものでないし、また、サングラスは片持ち状で支持されるため眼鏡を正位置状態に確保することがむずかしい。
【０００５】
本発明は、例えば、従来例の斯様な欠点に着目し、外見上不都合なく、使用勝手にも不都合のない、２種のレンズを使い分けできる眼鏡フレームを提供することを目的として創案したものである。
【課題を解決するための手段】
【０００６】
一対のレンズ支持部をブリッジ部を介して連設した本体枠につるを折り畳み自在に接続した眼鏡において、前記つるには、前記レンズ支持部に着脱自在に組付けるレンズの収納部を設けたことを基本的手段とし、レンズ支持部をリング体で構成し、該リング体は内周縁に設けたレンズ周端の係合溝と、該係合溝の底縁の一部を、レンズの幅径の長さで開口したレンズ挿入口を設けた構成にすると共に、収納部を上面を開口してレンズ挿入口とした薄いケース体で構成したことにより、レンズ支持部と収納部に対するレンズの着脱操作を簡単に行え、２種のレンズを使い分けするに、使用勝手の良好な眼鏡フレームを提供することができる。
【発明の効果】
【０００７】
本発明によれば、現在使用中のレンズ支持部のレンズと収納部に保持させたレンズに取り替えて目的に沿うレンズを備えた眼鏡に容易に変えることができ、しかも、使用と未使用のレンズを同時に保持、携帯できるから使用勝手が良好で、斬新な構造の眼鏡を提供できる。
【図面の簡単な説明】
【０００８】
【図１】一部欠截正面図。
【図２】図１の一部拡大図。
【図３】図１の平面図。
【図４】一部欠截側面図。
【図５】折り畳んだ状態の平面図。
【実施例】
【０００９】
図面は本発明に係る眼鏡フレームの一実施例を示し、実施例の眼鏡フレームＡは、一対のレンズ支持部１，１をブリッジ部２を介して連設した本体枠３と、該本体枠３の前記レンズ支持部１，１に突設したよろい４，４にヒンジ装置５，５を介して折り畳み自在に接続したつる６，６で構成したものである。
【００１０】
レンズ支持部１は、内周縁に設けた係合溝７にレンズ８の周端を係合して内部を閉塞する、横長方形状のリング体１Ａで構成し、前記係合溝７の底縁７ａの一部を前記レンズ８の幅径（実施例では横幅）の長さで開口したレンズ挿入口９を設けたものである。
【００１１】
実施例では、レンズ挿入口９をレンズ支持部１を構成するリング体１Ａの上枠１ａ部に設けてあるが、必ずしも上枠１ａの必要はないし、リング体１Ａは横長方形状の枠体に限らず円形や楕円形などの丸形体で構成しても不都合はなく、要は、係合溝７に周端を係合したレンズ８の支持に支障がなければ良いのであって、実施例では係合溝７に係合したレンズ８の係止手段１０をリング体１Ａに装置してレンズ支持部１を構成し、レンズ８の支持を確実に保持するようにしてある。
【００１２】
係止手段１０は、リング体１Ａの一方の側枠１ｂの係合溝７部の前記底縁７ａの、前記挿入口９側すなわち上枠１ａ側の一端にばね片１１の基部１１ａを止着して構成し、このばね片１１で係合溝７に周端を係合して該リング体１Ａに嵌め込んだレンズ８を前記側枠１ｂすなわちブリッジ部４側が他方の側枠１ｃすなわちつる６側方向に押圧してリング体１Ａとで挟持するようにしてある。
【００１３】
なお、ばね片１１の存在は、レンズ８のより確実な保持に役立つことは勿論であるが、レンズ８の大きさと該レンズ８を係合溝７に係合するリング体１Ａの大きさが相違してもレンズ８の保持を行うことができ、これが加工精度の誤差の吸収にもつながる利点がある。
【００１４】
前記つる６の長手方向の中間部には、レンズの収納部１２を設け、これに前記レンズ支持部１に着脱自在に組付けたレンズ８に代えて該レンズ支持部１に組付けるレンズ８を収納するようにしてある。
【００１５】
収納部１２は、上面開口の、薄いケース体１３の一側壁１３ａに、前記レンズ支持部１に設けた係止手段１０とほぼ同構成の係止手段１４（ばね片１１の基部を前記一側壁１３ａに止着して構成した）を設けて構成し、上面の挿入口１５からケース本体１３内に挿入したレンズ８のケース本体１３内での収納状態を係止手段１０によって確保するようにしてある。
【００１６】
図示１６は、ケース本体１３の厚さ方向（ケース本体１３に収納したレンズ８の板厚方向）を開口した窓口で、該窓口１６を通じてケース本体１３内に収納したレンズ８に指先を接触させて、該レンズ８を挿入口１５方向に移動させ、ケース本体１３からのレンズ８の取出しを行うようにしてある。
【００１７】
そして、眼鏡フレームＡは、レンズ支持部１および収納部１２には、それぞれに備えたレンズ挿入口９，１５を通じてレンズ８を係合させて眼鏡として活用するのである。
【符号の説明】
【００１８】
１      レンズ支持部
２      ブリッジ部
３      本体枠
６      つる
７      係合溝
８      レンズ
９      レンズ挿入口
１２    収納部
１３    ケース体
１５    レンズ挿入口
【図１】
2011002486.tif 000003
【図２】
2011002486.tif 000004
【図３】
2011002486.tif 000005
【図４】
2011002486.tif 000006
【図５】
2011002486.tif 000007